【手続補正書】
【提出日】平成26年10月14日(2014.10.14)
【手続補正１】
【補正対象書類名】特許請求の範囲
【補正対象項目名】全文
【補正方法】変更
【補正の内容】
【特許請求の範囲】
【請求項１】
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向としたとき、画像生成装置から入射された光ビームをＺ方向に沿って伸長し、導光手段へ出射する光ビーム伸長装置、
を備えた画像表示装置であって、
光ビーム伸長装置は、画像生成装置からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０
を満足する画像表示装置。
【請求項２】
画像生成装置と第１反射鏡との間には、少なくとも１枚の平面反射部材が備えられており、
第１反射鏡と第２反射鏡との間には、少なくとも１枚の平面反射部材が備えられており、
画像生成装置と第１反射鏡との間に備えられた１枚の平面反射部材は、第１反射鏡と第２反射鏡との間に備えられた１枚の平面反射部材を兼ねている請求項１に記載の画像表示装置。
【請求項３】
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向とした、
を備えた画像表示装置であって、
光ビーム伸長装置は、画像生成装置からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる画像表示装置。
【請求項４】
Ｚ方向と直交する仮想平面である第１Ａ仮想平面に射影したとき、画像生成装置から第１反射鏡に入射する光の軌跡と、第１反射鏡から出射される光の軌跡とは平行であり、
第１反射鏡の法線と直交する仮想平面である第１Ｂ仮想平面に射影したとき、画像生成装置から第１反射鏡に入射する光の軌跡と、第１反射鏡から出射される光の軌跡とは、第１Ａ仮想平面に対して対称であり、
Ｙ方向と直交する仮想平面である第２Ａ仮想平面に射影したとき、第１反射鏡から第２反射鏡に入射する光の軌跡と、第２反射鏡から出射される光の軌跡とは平行であり、
第２反射鏡の法線と直交する仮想平面である第２Ｂ仮想平面に射影したとき、第１反射鏡から第２反射鏡に入射する光の軌跡と、第２反射鏡から出射される光の軌跡とは、第２Ａ仮想平面に対して対称である請求項１乃至請求項３のいずれか１項に記載の画像表示装置。
【請求項５】
画像生成装置の中心から出射され、第１反射鏡に入射する光の光路長と、画像生成装置の中心から出射された光であって、第１反射鏡から出射され、第２反射鏡に入射し、出射され、導光手段に入射する光の光路長とは、等しい請求項４に記載の画像表示装置。
【請求項６】
画像生成装置から出射される光ビームのＹ方向に沿った大きさは、導光手段に入射する光ビームのＹ方向に沿った大きさと等しい請求項５に記載の画像表示装置。
【請求項７】
導光手段に入射する光ビームのＺ方向に沿った大きさは、画像生成装置から出射される光ビームのＺ方向に沿った大きさよりも大きい請求項４乃至請求項６のいずれか１項に記載の画像表示装置。
【請求項８】
導光手段から出射される光ビームのＺ方向に沿った大きさは、画像生成装置から出射される光ビームのＺ方向に沿った大きさと等しい請求項７に記載の画像表示装置。
【請求項９】
画像生成装置は、
（Ａ−１）２次元マトリクス状に配列された複数の画素を有する画像形成装置、及び、
（Ａ−２）画像形成装置の各画素から出射された光を平行光とするコリメート光学系、
を備えており、
コリメート光学系からの光が第１反射鏡に入射される請求項１乃至請求項８のいずれか１項に記載の画像表示装置。
【請求項１０】
画像生成装置は、
（Ａ−１）光源、
（Ａ−２）光源から出射された光を平行光とするコリメート光学系、
（Ａ−３）コリメート光学系から出射された平行光を走査する走査手段、及び、
（Ａ−４）走査手段によって走査された平行光をリレーするリレー光学系、
を備えており、
リレー光学系からの光が第１反射鏡に入射される請求項１乃至請求項８のいずれか１項に記載の画像表示装置。
【請求項１１】
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向としたとき、画像生成装置から入射された光ビームをＺ方向に沿って伸長し、導光手段へ出射する光ビーム伸長装置、
を備えた画像表示装置であって、
光ビーム伸長装置は、第１反射鏡及び第２反射鏡から成り、
第１反射鏡は、導光手段を挟んで、画像生成装置とは反対側に位置し、
第２反射鏡は、導光手段を基準として、画像生成装置側に位置し、
画像生成装置から出射された光の一部は、導光板及び第１偏向手段を通過し、第１反射鏡で反射され、導光板及び第１偏向手段を通過し、第２反射鏡で反射され、その一部は、導光板及び第１偏向手段を通過することを、所定の回数繰り返し、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｙ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０
を満足する画像表示装置。
【請求項１２】
（Ａ）画像生成装置、及び、
（Ｂ）画像生成装置からの光が入射され、導光され、観察者の瞳に向かって出射される導光手段、
を備え、
導光手段は、
（Ｂ−１）入射された光が内部を全反射により伝播した後、出射される導光板、
（Ｂ−２）導光板に入射された光が導光板の内部で全反射されるように、導光板に入射された光を偏向させる、導光板に配設された第１偏向手段、及び、
（Ｂ−３）導光板の内部を全反射により伝播した光を導光板から出射させるために、導光板の内部を全反射により伝播した光を複数回に亙り偏向させる、導光板に配設された第２偏向手段、
を備えており、更に、
（Ｃ）導光板へ入射される光の入射方向をＸ方向、導光板内における光の伝播方向をＹ方向としたとき、画像生成装置から入射された光ビームをＺ方向に沿って伸長し、導光手段へ出射する光ビーム伸長装置、
を備えた画像表示装置であって、
光ビーム伸長装置は、第１反射鏡及び第２反射鏡から成り、
第１反射鏡は、導光手段を挟んで、画像生成装置とは反対側に位置し、
第２反射鏡は、導光手段を基準として、画像生成装置側に位置し、
画像生成装置から出射された光の一部は、導光板及び第１偏向手段を通過し、第１反射鏡で反射され、導光板及び第１偏向手段を通過し、第２反射鏡で反射され、その一部は、導光板及び第１偏向手段を通過することを、所定の回数繰り返し、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｙ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる画像表示装置。
【請求項１３】
光源から入射された光が内部を全反射により伝播した後、出射される導光板、
導光板に入射された光が導光板の内部で全反射されるように、導光板に入射された光を偏向させる、導光板に配設された第１偏向手段、及び、
導光板の内部を全反射により伝播した光を導光板から出射させるために、導光板の内部を全反射により伝播した光を複数回に亙り偏向させる、導光板に配設された第２偏向手段、
を備えた導光手段、並びに、
導光板へ入射される光の入射方向をＸ方向、導光板内における光の伝播方向をＹ方向としたとき、光源から入射された光ビームをＺ方向に沿って伸長し、導光手段へ出射する光ビーム伸長装置、
を備えた光学装置であって、
光ビーム伸長装置は、光源からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０
を満足する光学装置。
【請求項１４】
光源と第１反射鏡との間には、少なくとも１枚の平面反射部材が備えられており、
第１反射鏡と第２反射鏡との間には、少なくとも１枚の平面反射部材が備えられており、
光源と第１反射鏡との間に備えられた１枚の平面反射部材は、第１反射鏡と第２反射鏡との間に備えられた１枚の平面反射部材を兼ねている請求項１３に記載の光学装置。
【請求項１５】
光源から入射された光が内部を全反射により伝播した後、出射される導光板、
導光板に入射された光が導光板の内部で全反射されるように、導光板に入射された光を偏向させる、導光板に配設された第１偏向手段、及び、
導光板の内部を全反射により伝播した光を導光板から出射させるために、導光板の内部を全反射により伝播した光を複数回に亙り偏向させる、導光板に配設された第２偏向手段、
を備えた導光手段、並びに、
導光板へ入射される光の入射方向をＸ方向、導光板内における光の伝播方向をＹ方向としたとき、光源から入射された光ビームをＺ方向に沿って伸長し、導光手段へ出射する光ビーム伸長装置、
を備えた光学装置であって、
光ビーム伸長装置は、光源からの光が入射される第１反射鏡、及び、第１反射鏡からの光が入射され、導光手段へ光を出射する第２反射鏡から成り、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる光学装置。
【請求項１６】
光源と照射面との間に配置され、光源からの光が入射される第１反射鏡、及び、第１反射鏡からの光が入射され、照射面へ光を出射する第２反射鏡から成る光ビーム伸長装置であって、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡への光の入射角をη1（度）、第１Ａ斜面の傾斜角をζ1（度）とし、第１Ａ斜面の頂辺を基準として、第１Ａ斜面側へ向かう光の入射角の方向を正の方向としたとき、
２ζ1−η1＝９０±１０
を満足し、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡への光の入射角をη2（度）、第２Ａ斜面の傾斜角をζ2（度）とし、第２Ａ斜面の頂辺を基準として、第２Ａ斜面側へ向かう光の入射角の方向を正の方向としたとき、
２ζ2−η2＝９０±１０
を満足する光ビーム伸長装置。
【請求項１７】
光源と照射面との間に配置され、光源からの光が入射される第１反射鏡、及び、第１反射鏡からの光が入射され、照射面へ光を出射する第２反射鏡から成る光ビーム伸長装置であって、
第１反射鏡の光反射面は、第１Ａ斜面と第１Ｂ斜面とが交互に連続して並置され、断面形状が鋸歯形状を有し、
第１Ａ斜面の頂辺及び底辺は平行であり、Ｚ方向に延びており、
一対の第１Ａ斜面及び第１Ｂ斜面において、第１Ａ斜面の底部と第１Ｂ斜面の底部の成す角度は９０度であり、且つ、第１Ａ斜面の長さは第１Ｂ斜面の長さよりも短く、
第１Ａ斜面の高さは一定であり、
第１反射鏡の中央における第１Ａ斜面の頂点と第１Ａ斜面の頂点との間のピッチの値と、第１反射鏡の端部における第１Ａ斜面の頂点と第１Ａ斜面の頂点との間のピッチの値とは異なり、
第２反射鏡の光反射面は、第２Ａ斜面と第２Ｂ斜面とが交互に連続して並置され、断面形状が鋸歯形状を有し、
第２Ａ斜面の頂辺及び底辺は平行であり、Ｙ方向に延びており、
一対の第２Ａ斜面及び第２Ｂ斜面において、第２Ａ斜面の底部と第２Ｂ斜面の底部の成す角度は９０度であり、且つ、第２Ａ斜面の長さは第２Ｂ斜面の長さよりも短く、
第２Ａ斜面の高さは一定であり、
第２反射鏡の中央における第２Ａ斜面の頂点と第２Ａ斜面の頂点との間のピッチの値と、第２反射鏡の端部における第２Ａ斜面の頂点と第２Ａ斜面の頂点との間のピッチの値とは異なる光ビーム伸長装置。
【請求項１８】
第１斜面と第２斜面とが交互に連続して並置され、断面形状が鋸歯形状を有する光反射面を備えた光反射部材であって、
第１斜面の頂辺及び底辺は平行であり、
一対の第１斜面及び第２斜面において、第１斜面の底部と第２斜面の底部の成す角度は９０度であり、且つ、第１斜面の長さは第２斜面の長さよりも短く、
第１斜面の高さは一定であり、
光反射部材への光の入射角をη（度）、第１斜面の傾斜角をζ（度）とし、第１斜面の頂辺を基準として、第１斜面側へ向かう光の入射角の方向を正の方向としたとき、
２ζ−η＝９０±１０
を満足し、
第１斜面の頂辺及び底辺の延びる方向に直交する仮想平面に射影したとき、第１斜面に入射する光の軌跡と、第２斜面から出射される光の軌跡とは平行である光反射部材。
【請求項１９】
第１斜面と第２斜面とが交互に連続して並置され、断面形状が鋸歯形状を有する光反射面を備えた光反射部材であって、
第１斜面の頂辺及び底辺は平行であり、
一対の第１斜面及び第２斜面において、第１斜面の底部と第２斜面の底部の成す角度は９０度であり、且つ、第１斜面の長さは第２斜面の長さよりも短く、
第１斜面の高さは一定であり、
光反射部材の中央における第１斜面の頂点と第１斜面の頂点との間のピッチの値と、光反射部材の端部における第１斜面の頂点と第１斜面の頂点との間のピッチの値とは異なり、
第１斜面の頂辺及び底辺の延びる方向に直交する仮想平面に射影したとき、第１斜面に入射する光の軌跡と、第２斜面から出射される光の軌跡とは平行である光反射部材。
【手続補正２】
【補正対象書類名】明細書
【補正対象項目名】００８７
【補正方法】変更
【補正の内容】
【００８７】
そして、実施例１の光ビーム伸長装置７０において、
第１反射鏡７１の光反射面は、第１Ａ斜面７１Ａと第１Ｂ斜面７１Ｂとが交互に連続して並置され、断面形状が鋸歯形状を有し、
第１Ａ斜面７１Ａの頂辺及び底辺は平行であり、Ｚ方向に延びており、
一対の第１Ａ斜面７１Ａ及び第１Ｂ斜面７１Ｂにおいて、第１Ａ斜面７１Ａの底部と第１Ｂ斜面７１Ｂの底部の成す角度θ1は９０度であり、且つ、第１Ａ斜面７１Ａの長さは第１Ｂ斜面７１Ｂの長さよりも短く、
第１Ａ斜面７１Ａの高さは一定であり、
第１反射鏡７１への光の入射角をη1（度）、第１Ａ斜面７１Ａの傾斜角をζ1（度）とし、第１Ａ斜面７１Ａの頂辺を基準として、第１Ａ斜面側へ向かう光の入射角の方向を正の方向としたとき、
２ζ1−η1＝９０±１０
を満足する。
【手続補正３】
【補正対象書類名】図面
【補正対象項目名】図２４
【補正方法】変更
【補正の内容】
【図２４】
2013114110.tif 000001
【手続補正４】
【補正対象書類名】図面
【補正対象項目名】図２５
【補正方法】変更
【補正の内容】
【図２５】
2013114110.tif 000002